(57)【要約】【課題】簡単な構造の気化室からなり、超小型軽量であって、操作が簡単なげっ歯類動物用麻酔器を提供することを目的とする。【解決手段】麻酔液を入れる麻酔液室と、麻酔液が気化する気化室からなる麻酔器であって、麻酔液室と気化室を仕切る板の孔に差し込まれたウイックを通して麻酔液が気化室内に蒸発し、キャリアーガスと混じり合い、麻酔性ガスを発生させる麻酔器によって達成される。さらに、コントロールキャップが、ウイック先端部を覆う構造であって、コントロールキャップの開放間隔を調整することで、ウイック先端部から麻酔液が蒸発する量を制御することにより達成される。【選択図】図２
2016209034.tif 000002
【特許請求の範囲】
【請求項１】
麻酔性ガスを発生させる気化器が、麻酔液を入れる麻酔液室と、麻酔液が気化する気化室から構成された麻酔器であって、
麻酔液室と気化室は孔の開いた仕切り板により仕切られ、仕切り板の孔には、麻酔液に浸されたウイックが差し込まれていて、
麻酔液が毛細管現象で麻酔液に浸されたウイックを通してウイック先端部から気化し、
気化室内で、麻酔液が気化したガスとキャリアーガスを混じり合わせて、麻酔性ガスを発生させる麻酔器。
【請求項２】
気化室上部から差し込まれたキャップ操作軸に接続したコントロールキャップが、ウイック先端部を覆う構造であって、コントロールキャップの開放間隔を調整することで、ウイック先端部から麻酔液が蒸発する量を制御することを特徴とする請求項１記載の麻酔器。
【請求項３】
麻酔液を入れる麻酔液室が１０〜１００ｍｌであって、げっ歯類の実験動物に適用できる請求項１又は２記載の麻酔器。
【発明の詳細な説明】
【技術分野】
【０００１】
本発明は、げっ歯類（マウス、ラット）の実験動物を安全確実に麻酔することに関する。
【背景技術】
【０００２】
実験動物の研究・飼育管理において、げっ歯類動物を用いた実験は非常に多い。実験動物を実験に用いる上で、人間と同様麻酔を行うことが必要とされる場面がある。かかる動物用麻酔器について、人間に用いるのと同様に、吸入麻酔をする方法を動物に適用した方法が提案されている（特許文献１）。この発明は、膨張性バルーンカフで密閉した気管内に呼気排出管と吸気送入管とを別々に併設し、呼気排出管から左右両肺内の呼気を排出すると共に、吸気送入管から新鮮な酸素あるいは酸素加麻酔ガスを左右両気管支に送入するというものであるが、犬や猫、馬などの比較的大きな動物を対象としていて、げっ歯類実験動物には適用できるものではない。なお、気化室については特段の記載が無い。
【０００３】
また、吸入麻酔をかける装置として、少なくとも酸素を含む新鮮ガス（キャリアーガス）と液状の麻酔薬とを導入し、麻酔薬を気化せしめ新鮮ガスと混合された新鮮麻酔ガス（麻酔混合ガス、麻酔性ガス）を導出する気化室と、麻酔薬を送るポンプ等からなる気化であって構造は複雑である。この発明は、麻酔薬濃度の変動を防止した小型軽量の気化器と、該気化器を搭載し、人または動物に対して吸入麻酔をかけるための麻酔装置に関するもので、手術室内のみならず手術室外での使用も考慮している。しかし、人間を対象にしているため、小型化したといっても、循環装置等の機器を備えていて、げっ歯類実験動物にはまで適用できるように小型化されたものではない（特許文献２）。
【０００４】
以上のことから、市販されている動物にも使用できる麻酔装置は、人間に使用できる気化器化器を利用しているため、麻酔装置が大きく重くなり、高価である。
【０００５】
一方、医薬品開発その他生物科学分野での研究においては、実験動物の研究・飼育管理が重要であり、実験動物の中でも、小型のげっ歯類動物、例えば、マウス、ラットを用いた実験は非常に多い。かかる状況下で、研究者の実験の安全の観点から、さらには、動物愛護の観点からも、小型のげっ歯類動物を日常の実験処理から手術を行うこと等、広い動物実験の研究範囲に応用が出来る麻酔器が必要である。そこで、動物に苦痛を与えなく日常の実験処理に用いることができる安価な小型の麻酔装置が求められている。
【先行技術文献】
【特許文献】
【０００６】
【特許文献１】特開平１１−９６１５号
【特許文献２】特開２００４−２３６８７４号
【発明の概要】
【発明が解決しようとする課題】
【０００７】
げっ歯類動物を実験室で、簡単確実に麻酔がかけられる麻酔器を提供することを目的とする。あわせて、簡単な構造の気化室からなり、超小型軽量であって、操作が簡単な麻酔器を提供することを目的とする。
【課題を解決するための手段】
【０００８】
〔１〕麻酔性ガスを発生させる気化器が、麻酔液を入れる麻酔液室と、麻酔液が気化する気化室から構成された麻酔器であって、
麻酔液室と気化室は孔の開いた仕切り板により仕切られ、仕切り板の孔には、麻酔液に浸されたウイックが差し込まれていて、
麻酔液が毛細管現象で麻酔液に浸されたウイックを通してウイック先端部から気化し、
気化室内で、麻酔液が気化したガスとキャリアーガスを混じり合わせて、麻酔性ガスを発生させる麻酔器によって達成される。
〔２〕気化室上部から差し込まれたキャップ操作軸に接続したコントロールキャップが、ウイック先端部を覆う構造であって、コントロールキャップの開放間隔を調整することで、ウイック先端部から麻酔液が蒸発する量を制御することを特徴とする〔１〕記載の麻酔器により達成される。
〔３〕麻酔液を入れる麻酔液室が１０〜１００ｍｌであって、げっ歯類の実験動物に適用できる〔１〕又は〔２〕記載の麻酔器によって達成される。
【発明の効果】
【０００９】
本発明によれば、げっ歯類動物を実験室で、簡単確実に麻酔がかけられる麻酔器が得られる。また、得られた麻酔器は、簡単な構造の気化室からなり、超小型軽量であって、操作が簡単であるため本発明の目的を達成できる。
【図面の簡単な説明】
【００１０】
【図１】本発明の麻酔器の全体斜視図である。
【図２】麻酔器を使用してげっ歯類動物に麻酔をしている態様を示す図である。
【図３】図２の麻酔器のふたを外した状態の平面図である。
【図４】本発明の麻酔器の構成パーツがわかるように示した図である。
【図５】本発明の麻酔器の使用前と使用中を示す図である。
【発明を実施するための形態】
【００１１】
以下、本発明を実施するための形態について、図面に従い、具体的に説明する。但し、本発明はその発明特定事項を備える限りにおいて広く包含するものであり、以下の実施形態に限定されるものではない。
【００１２】
図１には、本発明の一実施形態について、その全体斜視図を示す。破線３０は外装ケースを示す。本発明の麻酔器には、気化器１にキャリアーガスを送り込むエアーポンプ２１、麻酔液を注入する注入器２２等が備えられている。麻酔器から排出される麻酔性ガスは動物用のマスク２６からげっ歯類実験動物２７に麻酔をする。図１は、気化器１に注入器２２で、麻酔液を麻酔器の注入口２９からパイプ２３を通して気化器１に注入する構成になっている。
【００１３】
図２には、図１のうち気化器１の側面から麻酔器を使用してげっ歯類動物２７に麻酔をしている態様を示す。図３は図２の麻酔器１のふた５を外した状態の平面図である。図４は図２の気化器１の各構成パーツがわかるように示した図である。なお、図２は、麻酔器の使用開始前の構成配置で、コントロールキャップ８は閉められた状態になっている。
【００１４】
以下、図２と３により、本発明の気化器１について説明する。気化器１は、気化室２と麻酔液室３から構成されていて、仕切り板４により仕切られている。仕切り板４にはウイック１０を通すための孔９が開いている。ウイック１０は麻酔液室３内で麻酔液に浸っていて、仕切り板４の孔９を通してその先端部１１を含めウイックの一部が気化室２に出ている。気化室はふた５で閉じられている。ふた５にはコントロールキャップ８を上下させるキャップ操作軸７が差し込まれている。キャップ操作軸７はその先端がコントロールキャップ８にさし込むような構造をしている。キャップ操作軸７のふたから外に出た先端に取り付けられたキャップ操作部６でキャップ操作軸７を上下させることで、コントロールキャップ８を上下させる。コントロールキャップ８が最も下がると、ウイック先端部１１を含め仕切り板から気化室に出ているウイックはコントロールキャップ８で覆われる。この状態では、麻酔液が麻酔室３からウイック１０を毛細管現象で上昇し気化してガスとなり気化室２内へ拡散していくのを防いでいる。気化室２は、キャリアーガスが入ってくるエアー入口１９と麻酔性ガス出口２０が設けられていて、その開閉はエアーコントロールバルブ１７と麻酔性ガス流量コントロールバルブ１８により行われる。各バルブはバルブ操作具１５、１６で操作する。
【００１５】
気化器は、その形状は本発明の課題を解決する限りにおいて限定されないが、例えば、透明プラスチックで形成される直方体型の形状であることが好ましい。材質としては、透明プラスチック、例えば、ポリプロピレン、ポリエチレンテレフタレート、ポリ塩化ビニルが好ましい。既存の市販品が、巾１７０ｍｍ×奥行き１６０ｍｍ×高さ２５０ｍｍ、重さ７ｋｇから、巾２００ｍｍ×奥行き２３０ｍｍ×高さ３５０ｍｍ、重さ１１ｋｇであることと対比して、本発明の麻酔器はその気化器の容量が２０〜１５０ｍｌであり、特に麻酔液を入れる麻酔室の容量が１０〜１００ｍｌであり、麻酔器の外装ケースベースで、巾５０〜１００ｍｍ×奥行き２０〜４０ｍｍ×高さ２０〜４０ｍｍ、重さ０．５〜１ｋｇで超小型軽量である。
【００１６】
本発明に用いるウイック１０は、糸系の帆布が好ましく、その直径は５〜１５ｍｍが好ましく、８〜１０ｍｍが特に好ましい。本発明では、気化器１の設計で、ウィッグ１０を気化室２に出す孔９の設計に対応させることが必要なので、孔９の径を８〜１０ｍｍとしたとき、ウイック１０も直径８〜１０ｍｍとあわせることが好ましい。このとき孔９の内径とウイック１０の直径はその差が１ｍｍであることが好ましい。ウイッグ１０は全長２０〜６０ｍｍが好ましく、２５〜５０ｍｍが特に好ましい。気化室２に出ている部分は１０〜２５ｍｍであることが好ましく、１２〜２０ｍｍであることが特に好ましい。そのウイック先端部１１は帆布をほぐした糸状になっていることが好ましい。
【００１７】
図４により、コントロールキャップ８について説明する。コントロールキャップ８の構造はその目的を達する限りにおいて特に限定されないが、上部は密閉構造で下部は開放構造となっている円筒状であることが好ましい。キャップ操作軸７はその形状はその目的を達する限りにおいて特に限定されないが、キャップ操作部６を回すことで上下させるので、螺旋状のスクリューの構造をしたものであることが望ましい。キャップ操作軸７はその先端がコントロールキャップ８にさし込まれた構造をしている。キャップ操作軸７のふたから上部に突き出る部分には調整板１２が設けられている。調整板１２は、調整板１２から突き出たキャップ操作軸の位置を視認する基準となるのと、Ｏリング３４のホルダーとしての機能を有する。キャップ操作軸７がさし込まれる調整板１２とふたの内壁は螺旋が刻まれていることが好ましい。螺旋状のスクリューの構造をしたキャップ操作軸７が上下するので、調整板１２には、Ｏリング３４が挟まる構造であることが好ましい。麻酔性ガスの密封に効果的である。気化室２は、ふた５と気化器１のビス用孔１３にビス１４を通してしめることで密封される。麻酔液室３には、麻酔液注入口２８があり、注入器２２から麻酔液が注入される。
【００１８】
図５は本発明の麻酔機器の使用法を示す。図５（Ａ）は、本発明の麻酔器の麻酔性ガス発生前の状態を示し、図５（Ｂ）は、麻酔性ガス発生中の状態を示す図である。ふた５と調整板１２にはキャップ操作軸７を差し込めるように孔が開いていて、螺旋状の切り込みがされている。キャップ操作軸７はその先端にコントロールキャップ８が取り付けられている。コントロールキャップ８は円筒状であり、上部は密閉していて、下部は開口している。キャップ操作軸７には、その先端頭部にキャップ操作部６が取り付けられていて、キャップ操作部６を回すとキャップ操作軸７が動き、コントロールキャップ８を上下させる。調整板１２を基準にして、キャップ操作軸７が気化器１のふた５から突き出た長さを目盛として、キャップの開放間隔３２を調整できるような構造となっている。図５（Ａ）では、コントロールキャップ８は、ウイック１０を覆い開口部３１が閉じられた状態を示している。図５（Ｂ）では、コントロールキャップ８を上昇させキャップの開放間隔３２として、開口部３１が開いている状態を示している。麻酔液はウイック先端部１１から蒸発し、開口部３１から気化室２に拡散していく。キャップの開放間隔３２を調整することで、ウイック先端部１１から蒸発し気化室２に拡散する量を調整することができる。
【００１９】
本発明の麻酔器では、麻酔液室３に注入器２２から麻酔液を入れる、麻酔性ガス出口バルブ操作具１６を操作する、空気入り口バルブ操作具１５を操作する、キャップ操作部６を操作し、調整板１２から出ているキャップ操作軸７の目盛からキャップの開放間隔３２を調整する。この一連の操作により麻酔性ガスが得られる。本発明の気化器は、麻酔液を入れてから、麻酔液が毛細管現象でウイック１０を通じてウイック先端部１１まで上がってくる構造となっている。
【００２０】
図５（Ａ）では、麻酔液室３には麻酔液（図で濃い網点で示す）が注入されていて、麻酔性ガス出口バルブ操作具１６と、空気入り口バルブ操作具１５とが操作され開いている。麻酔液室３内で麻酔液に浸ているウイック１０を毛細管現象で上昇した麻酔液がコントロールキャップ８内で蒸発して麻酔ガス（図の薄い網点で示す）となっている。図５（Ｂ）はキャップ操作部６を操作し、調整板１２から出ているキャップ操作軸７の目盛からキャップの開放間隔３２を調整し、開口部３１から気化室２内に麻酔ガスが拡散し、空気入口部１９から送り込まれるキャリアガスと混じり合っている（矢印で示す）。
【００２１】
エアーポンプ２１でエアーホース２４を通して、空気入口部１９に取り付けられた空気入り口バルブ１７を空気入り口バルブ操作具１５を操作することでキャリアガスが送られる。空気入口部１９から送り込まれるキャリアガスは、麻酔ガスと気化室２で混じり合い、麻酔性ガスとなり、麻酔性ガス出口２０から麻酔性ガスホース２５を通してげっ歯類実験動物２７に送られ、麻酔作用を起こす。
【００２２】
キャリアガスは好ましくは１５０〜３５０ｍｌ／分、特に好ましくは２００〜３００ｍｌ／分送ることで、麻酔液濃度２〜５％、好ましくは２．５〜４．５％で、１〜８時間、安定した麻酔をすることができる。本発明の連続使用時間は、３００ｍｌ／分、麻酔ガス濃度２．５％、麻酔液量２０ｍｌで８時間の使用が可能である。
【００２３】
本発明で使用できる揮発性麻酔薬は、ハロセン、エンフルラン、イソフルラン、セボフルランである。これらを麻酔液として使用する。気化器は透明プラスチック製で、中が良く見えるようになっているので、麻酔液の残量が分かりやすく、取り扱いとメンテナンスが容易である。
【００２４】
本発明の麻酔器の操作方法を説明する。
（１）麻酔器を図２の状態に整備する。ウイック１０は仕切り板の孔９を通しウイック先端部１１を出し、ウイック１０は仕切り板の孔から長さ１５ｍｍ出した状態とする。
（２）麻酔液を注入器２２から１０〜１００ｍｌ、好ましくは１０〜５０ｍｌ、特に好ましくは１０〜３０ｍｌを気化器１の麻酔液室に入れる。
（３）このとき、ウイック１０は麻酔液に浸され、仕切り板の孔９を通して、気化室２にウイック先端部１１を出した状態で、初期設定が完了する。
（４）麻酔性ガス出口バルブ操作具１６を操作して麻酔性ガス出口バルブ１８を開く。（５）空気入り口バルブ操作具１５を操作して空気入り口バルブ１７を開く。
（６）エアーポンプスイッチ３３を押してキャリアキャリアガスを設定量流す。
（７）キャップ操作部６を操作して、コントロールキャップ８を上げて、キャップの開放間隔３２を目的の間隔にする。キャップの開放間隔３２は、キャップ操作軸７が調整板１２から突き出ている部分の目盛で調整する。
（８）一定量の麻酔ガスが、ウイック先端部１１から気化室内に放出され、キャリアーガスと混じり合い麻酔性ガスとなる。
（９）麻酔性ガスはその出口２０から麻酔性ガスホース２５を通じ、動物用のマスク２６で、げっ歯類実験動物に麻酔をする。
【実施例】
【００２５】
本発明の性能を試験するため以下の方法で実施した。本発明のポリ塩化ビニル製の気化器を使用した。全容量は１００ｍｌとし、麻酔液室は４０ｍｌとした。麻酔液としてイソフルランを使用した。その液量は２０ｍｌ、孔３の内径８．１ｍｍ、ウイック１０の直径８ｍｍ、気化室２のウイック１０の仕切り板の孔から長さ１５ｍｍとし、キャリアガス（空気）は３００ｍｌ／分とした。キャップ操作部６を操作することで、キャップの開放間隔３２を調整し、麻酔性ガスの出口２０から出てくる麻酔ガスの濃度（麻酔濃度）を測定した。濃度の測定は理研計器（株）製オプチカルモニターＦＩ−２１型により行った。キャップの開放間隔を３ｍｍ、５ｍｍ、１０ｍｍ、１５ｍｍとし、温度は室温２３℃で、キャリアガスの量は３００ｍｌ／分で行った。その結果を、表１に示す。
【００２６】
【表１】
2016209034.tif 000003
【００２７】
本発明の麻酔器は、２．５〜３．５％の麻酔濃度の範囲で麻酔性ガスを簡便に確実に供給できることがわかった。
【産業上の利用可能性】
【００２８】
本発明の麻酔器は実験用の小動物、特に、げっ歯類動物を実験室で、簡単確実に麻酔がかけられる麻酔器として利用することができる。
【符号の説明】
【００２９】
１    気化器
２    気化室
３    麻酔液室
４    仕切り板
５    ふた
６    キャップ操作部    
７    キャップ操作軸
８    コントロールキャップ
９    仕切り板の孔
１０  ウイック
１１  ウイック先端部
１２  調整板
１３  ビス用穴
１４  ビス
１５  バルブ操作具
１６  バルブ操作具
１７  エアーコントロールバルブ
１８  麻酔性ガス流量コントロールバルブ
１９  エアー入口
２０  麻酔性ガス出口
２１  エアーポンプ
２２  注入器
２３  パイプ
２４  エアーホース
２５  麻酔性ガスホース
２６  動物用のマスク
２７  げっ歯類実験動物
２８  注入口（気化器）
２９  注入口（麻酔器）
３０  外装
３１  開口部
３２  キャップの開放間隔
３３  エアーポンプスイッチ
３４  Ｏリング
【図１】
2016209034.tif 000004
【図２】
2016209034.tif 000005
【図３】
2016209034.tif 000006
【図４】
2016209034.tif 000007
【図５】
2016209034.tif 000008